(57)【要約】【課題】簡単な構造でかつ省スペース化を図った上でバッテリ端子の位置決めができるようにする。【解決手段】バッテリ１０には円形断面をなすバッテリポスト１２が台座１３上に立設されており、バッテリ端子２０の略環状をなすポスト接続部２１が、バッテリポスト１２に嵌合されたのち縮径するように締め付けられることによって、バッテリ端子２０がバッテリポスト１２に固定される。バッテリポスト１２の台座１３と、バッテリ端子２０のポスト接続部２１との間には、同ポスト接続部２１がバッテリポスト１２に嵌合された形態において互いに係合してポスト接続部２１がバッテリポスト１２の軸線回りに回動することを規制する係合部１６と被係合部３１とからなる位置決め機構Ａが形成されている。【選択図】図５
2013004218.tif 000002
【特許請求の範囲】
【請求項１】
バッテリには円形断面をなすバッテリポストが台座上に立設されている一方、
前記バッテリポストに嵌合される略環状をなすポスト接続部に、相手端子と接続される端子接続部が一体に設けられたバッテリ端子が具備され、
このバッテリ端子の前記ポスト接続部が前記バッテリポストに嵌合されたのち縮径するように締め付けられることによって、前記バッテリ端子が前記バッテリポストに固定されるものにおいて、
前記バッテリポストの前記台座と、前記バッテリ端子の前記ポスト接続部との間には、同ポスト接続部が前記バッテリポストに嵌合された形態において互いに係合して前記ポスト接続部が前記バッテリポストの軸線回りに回動することを規制する係合部と被係合部とからなる位置決め機構が形成されていることを特徴とするバッテリ端子の取付構造。
【請求項２】
前記バッテリポストの前記台座の外周面には直線部が設けられるとともに、前記バッテリ端子の前記ポスト接続部における下縁には前記直線部と対向する平板状の脚片が垂設されることで前記位置決め機構が構成されていることを特徴とする請求項１記載のバッテリ端子の取付構造。
【請求項３】
前記バッテリ端子の前記ポスト接続部における下縁側には、前記台座の外側に嵌合可能な台座嵌合部が設けられ、
前記台座の外周面と前記台座嵌合部の内周面の一方と他方とには、互いに嵌合する突部と凹部とが形成され、前記突部の側面が前記凹部の対向する側面と当接することで前記ポスト接続部の回動規制をする前記位置決め機構が構成されていることを特徴とする請求項１記載のバッテリ端子の取付構造。
【請求項４】
前記バッテリ端子における前記ポスト接続部は、前記バッテリポストを抱くように略環状に形成された抱持部の両端から一対の延出片が延出して設けられ、この一対の延出片が締め付け具により締め付けられて接近することで前記抱持部が縮径するようになっているとともに、
前記端子接続部にはボルトが立てられ、同ボルトに前記相手端子のボルト挿通孔が挿通されて同ボルトに螺合したナットを締め付けることで前記相手端子が接続固定されるようになっていることを特徴とする請求項１ないし請求項３のいずれか一項に記載のバッテリ端子の取付構造。
【発明の詳細な説明】
【技術分野】
【０００１】
本発明は、バッテリ端子をバッテリポストに取り付ける構造に関する。
【背景技術】
【０００２】
従来、バッテリ端子をバッテリに取り付ける構造の一例として、以下のようなものが知られている。このものはバッテリ端子が、バッテリポストに嵌合される略環状をなしかつ縮径可能なポスト接続部に、相手端子と接続されるスタッドボルトが立てられた端子接続部が一体に設けられた形状である。そして、バッテリ端子のポスト接続部が、バッテリに立設されたバッテリポストに嵌合されたのち、同ポスト接続部に設けられた締め付け具を操作して縮径させることで、ポスト接続部すなわちバッテリ端子がバッテリポストに固定される。そののち、端子接続部のスタッドボルトに対して、電線の端末に接続された相手端子のボルト挿通孔が挿通され、スタッドボルトにナットを螺合して締め付けることで、相手端子がバッテリ端子に対して接続固定されるようになっている（下記特許文献１参照）。
【先行技術文献】
【特許文献】
【０００３】
【特許文献１】特開２００９−１８７６９６号公報
【発明の概要】
【発明が解決しようとする課題】
【０００４】
ところでバッテリ端子をバッテリポストに固定するに当たっては、相手端子の引き出し位置や、ポスト接続部の締め付け具の締め付け作業をするスペースを確保するために、自ずからバッテリ端子を固定する場合の向きが決められる。しかしながら、初めにバッテリ端子のポスト接続部をバッテリポストに嵌合した場合に、円形同士の嵌合となるために、締め付け具を締め付け操作する前に、ポスト接続部すなわちバッテリ端子がバッテリポストの軸線回りに回動して位置ずれするおそれがある。
【０００５】
そのため、バッテリ端子の位置ずれに気を使いつつ、その後の締め付け具の締め付け操作等を行う必要があるために、作業能率が悪くなるおそれがある。  
それを回避するために、バッテリ端子から位置決め片を一体的に延設してバッテリの所定の壁に係止することで位置決めを図ったり、あるいはバッテリ端子に別部材としての位置決め部材を装着してこれを同じくバッテリの壁に当てて位置決めすることも提案されているが、バッテリ端子自体が大型化したり、位置決めのための構造が複雑化する嫌いがあり、新たな対策が切望されていた。  
本発明は上記のような事情に基づいて完成されたものであって、その目的は、簡単な構造でかつ省スペース化を図った上でバッテリ端子の位置決めができるようにするところにある。
【課題を解決するための手段】
【０００６】
本発明のバッテリ端子の取付構造は、バッテリには円形断面をなすバッテリポストが台座上に立設されている一方、前記バッテリポストに嵌合される略環状をなすポスト接続部に、相手端子と接続される端子接続部が一体に設けられたバッテリ端子が具備され、このバッテリ端子の前記ポスト接続部が前記バッテリポストに嵌合されたのち縮径するように締め付けられることによって、前記バッテリ端子が前記バッテリポストに固定されるものにおいて、前記バッテリポストの前記台座と、前記バッテリ端子の前記ポスト接続部との間には、同ポスト接続部が前記バッテリポストに嵌合された形態において互いに係合して前記ポスト接続部が前記バッテリポストの軸線回りに回動することを規制する係合部と被係合部とからなる位置決め機構が形成されているところに特徴を有する。
【０００７】
バッテリ端子のポスト接続部がバッテリポストに正規に嵌合されると、バッテリポストの台座と、ポスト接続部との間に設けられた位置決め機構により回動規制され、すなわちバッテリ端子の位置決めがなされる。  
位置決め機構を構成する係合部をバッテリポストの台座に設けたことにより、被係合部をバッテリ端子におけるポスト接続部に設定することができ、位置決め用の別部材が不要であることに加え、バッテリ端子の形状変更も僅かで済んで大型化が避けられ、また、位置決め機構の配設スペースがほぼバッテリ端子の配設スペース内に収まることで、省スペース化も図られる。
【０００８】
また、以下のような構成としてもよい。  
（１）前記バッテリポストの前記台座の外周面には直線部が設けられるとともに、前記バッテリ端子の前記ポスト接続部における下縁には前記直線部と対向する平板状の脚片が垂設されることで前記位置決め機構が構成されている。  
台座の外周面の直線部と、ポスト接続部の下縁の脚片とが直線同士の形態で当たり合うことで、ポスト接続部すなわちバッテリ端子の回動が規制される。
【０００９】
（２）前記バッテリ端子の前記ポスト接続部における下縁側には、前記台座の外側に嵌合可能な台座嵌合部が設けられ、前記台座の外周面と前記台座嵌合部の内周面の一方と他方とには、互いに嵌合する突部と凹部とが形成され、前記突部の側面が前記凹部の対向する側面と当接することで前記ポスト接続部の回動規制をする前記位置決め機構が構成されている。  
突部の側面が、これが嵌った凹部の側面と当接することにより、ポスト接続部すなわちバッテリ端子の回動が規制される。
【００１０】
（３）前記バッテリ端子における前記ポスト接続部は、前記バッテリポストを抱くように略環状に形成された抱持部の両端から一対の延出片が延出して設けられ、この一対の延出片が締め付け具により締め付けられて接近することで前記抱持部が縮径するようになっているとともに、前記端子接続部にはボルトが立てられ、同ボルトに前記相手端子のボルト挿通孔が挿通されて同ボルトに螺合したナットを締め付けることで前記相手端子が接続固定されるようになっている。
【発明の効果】
【００１１】
本発明によれば、簡単な構造でかつ省スペース化を図った上でバッテリ端子の位置決めを行うことができる。
【図面の簡単な説明】
【００１２】
【図１】本発明の実施形態１に係るバッテリ端子をバッテリポストに取り付ける前の状態の正面図
【図２】バッテリポストの立設部分の平面図
【図３】バッテリ端子の平面図
【図４】バッテリポストにバッテリ端子のポスト接続部を嵌合する動作を示す断面図
【図５】バッテリポストにバッテリ端子のポスト接続部が嵌合された状態の平面図
【図６】その正面図
【図７】バッテリポストにバッテリ端子のポスト接続部が固定された状態の断面図
【図８】本発明の実施形態２に係るバッテリポストとバッテリ端子の平面図
【図９】バッテリポストにバッテリ端子のポスト接続部が嵌合された状態の平面図
【発明を実施するための形態】
【００１３】
＜実施形態１＞
本発明の実施形態１を図１ないし図７によって説明する。この実施形態では、図１に示すように、自動車等に搭載されるバッテリ１０に立設されたバッテリポスト１２に対して、バッテリ端子２０が接続される場合を例示している。
【００１４】
バッテリ１０は、図２にも示すように、バッテリ本体１１の上面の所定位置に、バッテリポスト１２が台座１３に載せられた形態で立てられた構造である。バッテリポスト１２は、鉛等により上面側が次第に小径となった円錐台状に形成されており、台座１３は大まかには、バッテリポスト１２の下面よりも一回り大きい円盤状に形成されている。
【００１５】
バッテリ端子２０は、図３にも示すように、導電性に優れた厚肉の金属板のプレス加工等によって形成されており、バッテリポスト１２に接続されるポスト接続部２１と、相手端子（図示せず）と接続される端子接続部４０とが並んで一体に形成された構造である。
【００１６】
ポスト接続部２１は、バッテリポスト１２に外嵌される３／４円強の環状をなす抱持部２２と、同抱持部２２の両端から互いに対向するように延出された一対の延出片２３とから構成されている。抱持部２２は、自然状態ではバッテリポスト１２に対してクリアランスを持って嵌合可能な内径寸法を有している。抱持部２２の周面には、図４に示すように、食い込み用の縦向きの溝２４が複数本凹み形成されている。
【００１７】
一対の延出片２３にはボルト２５が貫通して装着され、ボルト２５自身は回り止めされているとともに、同ボルト２５の一方の延出片２３からの突出端側にナット２６が螺合されている。そして、ナット２６を締め付けることで両延出片２３の間隔が狭まり、ひいては抱持部２２が縮径されてバッテリポスト１２に固定されるようになっている。
【００１８】
端子接続部４０は、扁平な箱形をなす基台４１の上面に、スタッドボルト４２が回り止めされた形態で立ち上がって設けられている。電線の端末等に接続された相手端子は、同相手端子に形成されたボルト挿通孔をスタッドボルト４２に挿通して基台４１上に載せられ、スタッドボルト４２にナット（図示せず）を螺合して締め付けることで、相手端子が基台４１に押し付けられて固定されるようになっている。
【００１９】
さて、バッテリ端子２０の位置決め機構Ａ（図５参照）が設けられている。まず、バッテリポスト１２の台座１３には、図２に示すように、その外周面における前後方向を向いた中心線ｘを挟んだ線対称位置に、所定幅を持った一対の張出部１５が張り出し形成されており、両張出部１５の張出端縁が互いに平行な直線部１６（本発明の「係合部」に相当）となっている。
【００２０】
一方、図３に示すように、バッテリ端子２０のポスト接続部２１、より詳細には、抱持部２２の下端の外周縁のうち、端子接続部４０との連設方向に沿った中心線ｙを挟んだ線対称位置に、一対の脚片３０が形成されている。この脚片３０は、図１にも示すように、上記した台座１３の張出部１５と同幅の突片が、水平方向に突出したのち下向きに直角曲げされた形状となっている。すなわち、両脚片３０の垂下部３１が互いに平行をなす平板状をなし、かつ、両垂下部３１の内面同士の間隔が、台座１３の張出部１５の直線部１６同士の間隔よりも少し大きく設定されている。したがって、脚片３０の垂下部３１が本発明の「被係合部」に相当する。
【００２１】
本実施形態は上記のような構造であって、バッテリ端子２０を取り付けるには、脚片３０の位置を、台座１３の張出部１５の位置に合わせておいて、ポスト接続部２１の抱持部２２をバッテリポスト１２に外嵌する。抱持部２２の下端が台座１３に載せられた状態となったら、図５及び図６に示すように、台座１３の各張出部１５の直線部１６の外側に、脚片３０の垂下部３１が若干のクリアランスを持って嵌り込む。言い換えると、張出部１５の直線部１６と、脚片３０の垂下部３１の直線状の内面とが対向した状態となる。
【００２２】
ここで、バッテリ端子２０のポスト接続部２１すなわち抱持部２２が、バッテリポスト１２の軸線回りに回ろうとした場合、張出部１５の直線部１６と、これと対向した脚片３０の垂下部３１といった、ある程度の長さを持った直線部分同士が当たり合うことによって、抱持部２２が回動することが規制され、すなわちバッテリ端子２０の回動方向の位置決めがなされることになる。
【００２３】
続いて、ポスト接続部２１に設けたボルト２５・ナット２６におけるナット２６を締付工具により締め付けると、図７に示すように、抱持部２２が次第に縮径されることで、溝２４を外周面に食い込ませつつ抱持部２２がバッテリポスト１２に固定され、ひいてはバッテリ端子２０がバッテリポスト１２に固定される。そののち、端子接続部４０に相手端子が接続される。
【００２４】
このように本実施形態では、バッテリ端子２０のポスト接続部２１がバッテリポスト１２に正規に嵌合されると、バッテリポスト１２の台座１３に設けられた張出部１５の直線部１６と、ポスト接続部２１側に設けられた脚片３０の平板状の垂下部３１が対向し、言い換えると、ある程度の長さを持った直線部分同士が対向して当たり合うことによって、ポスト接続部２１のバッテリポスト１２の軸線回りの回動が規制され、すなわちバッテリ端子２０の位置決めがなされる。
【００２５】
位置決め機構Ａを構成する係合部である張出部１５（直線部１６）を、バッテリポスト１２の台座１３に設けたことにより、被係合部である脚片３０（垂下部３１）をバッテリ端子２０におけるポスト接続部２１に設定することができ、位置決め用の別部材が不要であることに加え、バッテリ端子２０の形状変更も僅かで済んで大型化が避けられ、また、位置決め機構Ａの配設スペースがほぼバッテリ端子２０の配設スペース内に収まることで、省スペース化も図ることができる。
【００２６】
＜実施形態２＞
次に、本発明の実施形態２を図８及び図９によって説明する。  
この実施形態の位置決め機構Ｂは、以下のとおりである。図８に示すように、バッテリポスト１２の台座１３には、外周面における中心線ｘを挟んだ線対称位置、詳細には、同中心線ｘと直交する中心線上よりも所定距離オフセットした前方位置（同図の下方位置）に、一対の小幅の突部５０（本発明の「係合部」に相当）が突出形成されている。
【００２７】
一方、バッテリ端子２０のポスト接続部２１、より詳細には、抱持部２２の下端の外周縁のうち、中心線ｙを挟んだ線対称位置、詳細には、同中心線ｙと直交する中心線上よりも所定距離オフセットした後方位置（同図の上方位置）に、一対の突当部５５が形成されている。この突当部５５は、上記した台座１３の突部５０と同じ小幅の突片が、水平方向に突出したのち下向きに直角曲げされた形状となっている。この突当部５５の垂下部５６は、上記した台座１３の外周面の外側に嵌る位置にある。
【００２８】
本実施形態では、バッテリ端子２０を正規の姿勢に向けて、ポスト接続部２１の抱持部２２をバッテリポスト１２に外嵌すると、抱持部２２の下端が台座１３に載せられたところで、図９に示すように、台座１３の各突部５０の後側（同図の上側）に、対応する突当部５５の垂下部５６が進入した状態となる。  
そのため、バッテリ端子２０のポスト接続部２１すなわち抱持部２２が、バッテリポスト１２の軸線回りに回ろうとした場合、例えば同図の時計回り方向に回ろうとした場合には、右側の突当部５５の垂下部５６の前面が、右側の突部５０の後面に当たり、また同図の反時計回り方向に回ろうとした場合には、左側の突当部５５の垂下部５６の前面が、左側の突部５０の後面に当たることによって、抱持部２２が回動することが規制され、すなわちバッテリ端子２０の回動方向の位置決めがなされる。
【００２９】
なお、本実施形態２の位置決め機構Ｂにおける構成要件と、請求項３の構成要件の関係を説明すると、実施形態２における突当部５５の垂下部５６を、抱持部２２の下端の周縁の全領域に亘って連続して設けた仮想部分が、請求項３における、台座の外側に嵌合可能に設けられた「台座嵌合部」に相当し、また、両突当部５５の垂下部５６の間の部分が、請求項３における、（台座側の）突部が嵌合する「凹部」となる。したがってまた、実施形態２における突当部５５の垂下部５６が、本発明の「被係合部」に相当する。
【００３０】
実施形態２においても、上記実施形態１と同様に、位置決め機構Ｂを構成する係合部である突部５０をバッテリポスト１２の台座１３に設けたことにより、被係合部である突当部５５の垂下部５６をバッテリ端子２０におけるポスト接続部２１に設定することができ、位置決め用の別部材が不要であることに加え、バッテリ端子２０の形状変更も僅かで済んで大型化が避けられ、また、位置決め機構Ｂの配設スペースがほぼバッテリ端子２０の配設スペース内に収まることで、省スペース化も図ることができる。
【００３１】
＜他の実施形態＞
本発明は上記記述及び図面によって説明した実施形態に限定されるものではなく、例えば次のような実施形態も本発明の技術的範囲に含まれる。  
（１）実施形態１の位置決め機構の変形例として、バッテリポストの台座側の張出部とバッテリ端子側の脚片の対が１組だけであってもよい。また逆に３組以上あってもよい。  
（２）バッテリポストの台座の外周面に設ける直線部は、外周面の一部を直線状に切除することで形成してもよい。
【００３２】
（３）実施形態２の位置決め機構の変形例として、バッテリポストの台座の外周面に突部を設ける一方、バッテリ端子に設けられたところの台座の外側に嵌合可能な台座嵌合部の内周面に、上記の突部がほぼ緊密に嵌る凹部を設けたものであってもよい。  
（４）上記とは逆に、バッテリポストの台座の外周面に凹部を設ける一方、バッテリ端子に設けられた台座嵌合部の内周面に、上記の凹部にほぼ緊密に嵌る突部を設けたものであってもよい。  
（５）上記（３）、（４）における対をなす突部と凹部とは、１組でもよく、２組以上であってもよい。  
（６）さらに、バッテリポストの台座の外周面と、バッテリ端子の台座嵌合部の内周面とに、互いに噛み合う歯部を周方向に沿って設けた構造としてもよい。
【符号の説明】
【００３３】
Ａ，Ｂ…位置決め機構
１０…バッテリ
１１…バッテリ本体
１２…バッテリポスト
１３…台座
１５…張出部
１６…直線部（係合部）
２０…バッテリ端子
２１…ポスト接続部
２２…抱持部
２３…延出片
２５…ボルト（締め付け具）
２６…ナット（締め付け具）
３０…脚片
３１…垂下部（被係合部）
４０…端子接続部
４２…スタッドボルト（ボルト）
５０…突部（係合部）
５５…突当部
５６…垂下部（被係合部）
【図１】
2013004218.tif 000003
【図２】
2013004218.tif 000004
【図３】
2013004218.tif 000005
【図４】
2013004218.tif 000006
【図５】
2013004218.tif 000007
【図６】
2013004218.tif 000008
【図７】
2013004218.tif 000009
【図８】
2013004218.tif 000010
【図９】
2013004218.tif 000011